(57)【特許請求の範囲】
【請求項１】
患者が着座する歯科治療椅子であって、背もたれ部の上部にヘッドレストが設けられた歯科治療椅子と、
光源ランプの後方に反射ミラーを有し、該光源ランプからの光を該反射ミラーによって反射して前方に投射し、前記歯科治療椅子に着座した患者の口腔に光束を照射する無影灯と、
前記歯科治療椅子に着座し歯科治療を受けている患者の頭部を囲むように前記ヘッドレストに配置された第１のエアチューブであって、該第１のエアチューブ内を流通する空気を該第１のエアチューブから前記無影灯向けて吹き出す吹出口を複数有し、該吹出口から吹き出す空気によって該患者の後頭部の側から顔面の側へ向かう気流が形成されるように構成された第１のエアチューブと、
患者の顎下を通るように配置され、U字の開口が後頭部の側であるU字形状のエアチューブであって、エアチューブ内を流通する空気をエアチューブから前記無影灯向けて吹き出す吹出口を複数有する第２のエアチューブと、
を有し、
該第１のエアチューブと該第２のエアチューブとによって、患者の頭部の上方と側方と下方が囲われ、
該第１のエアチューブおよび該第２のエアチューブの前記吹出口から吹き出す空気を含んだ所定の流体を吸引する吸引装置であって、その吸引口が前記無影灯に配置された吸引装置と、
を備え、
該吸引口は、第１の吸引口と、第２の吸引口とに、上下に分割されており、前記無影灯の側面が、上方向が前記第１の吸引口と、下方向が前記第２の吸引口とに覆われ、
前記第１の吸引口の無影灯側の端部に設けられる第１のアダプタに接続される第１のバキュームホースが、前記第１の吸引口に対応して設けられ、
前記第２の吸引口の無影灯側の端部に設けられる第２のアダプタに接続される第２のバキュームホースが、前記第２の吸引口に対応して設けられる、
歯科治療ユニット。
【請求項２】
前記歯科治療椅子に着座した患者の歯科治療に用いられ、所定の動力によって作動するインスツルメントと、
前記インスツルメントの作動状態に基づいて、前記エアチューブへの空気の供給及び前記吸引装置の作動を制御する制御装置であって、前記インスツルメントの作動が終了してから所定時間経過後に、前記エアチューブへの空気の供給及び前記吸引装置の作動を終了させる制御装置と、
を更に備える、請求項１に記載の歯科治療ユニット。
【請求項３】
前記制御装置は、
前記エアチューブへの空気の供給及び前記吸引装置の作動を終了させるとき、先ず前記エアチューブへの空気の供給を終了させ、次に前記吸引装置の作動を終了させる、
請求項２に記載の歯科治療ユニット。
【発明の詳細な説明】
【技術分野】
【０００１】
本発明は、歯科治療ユニットに関する。
【背景技術】
【０００２】
特許文献１には、歯科治療において、患者の口腔内の細菌を滅菌するとともに、口腔内及びその近傍に浮遊した粉塵や細菌を殺菌して吸引排気する殺菌チューブが開示されている。この技術によれば、殺菌チューブの先端部に設けられた吸気口が、歯科治療ユニットに備えられた無影灯等に配置される。そして、殺菌チューブの吸気口が配置された無影灯等が患者の近くに引き寄せられることで、患者の口元に浮遊する粉塵や細菌が吸引されることになる。
【０００３】
特許文献２には、歯科治療ユニットにおいて、ワークテーブルにバキュームチューブが引き出し自在に備えられた構成が開示されている。この技術によれば、バキュームチューブの吸気口がワークテーブルから患者の近くにまで引き出されることで、患者の口腔近傍の汚染空気が吸気、排出される。
【先行技術文献】
【特許文献】
【０００４】
【特許文献１】特開平５−０４９６８１号公報
【特許文献２】特開平７−０３１６３４号公報
【発明の概要】
【発明が解決しようとする課題】
【０００５】
特許文献１に示される殺菌チューブを備える歯科治療ユニットによれば、患者の口元に浮遊する粉塵や細菌を吸引するために、歯科治療の施術者やアシスタントが、殺菌チューブの吸気口が配置された無影灯等を患者の近くに引き寄せる必要がある。ここで、殺菌チューブの吸気口とともに無影灯等が移動されると、歯科治療の施術者による施術行為が妨げられてしまうことになる。つまり、この技術によれば、施術者による施術行為中には患者の口元に浮遊する粉塵や細菌を吸引することができない。そして、施術者による施術行為が妨げられてしまうことを嫌って、患者の口元に浮遊する粉塵や細菌を吸引する回数が減らされると、粉塵や細菌が治療空間に拡散、滞留し易くなってしまう。
【０００６】
また、特許文献２に示される歯科治療ユニットによれば、患者の口腔近傍の汚染空気を吸気、排出するために、歯科治療の施術者やアシスタントが、バキュームチューブの吸気口を患者の近くにまで引き出す必要があり、歯科治療の施術者等に作業負担をかけてしまうことになる。また、仮に、施術者による施術行為中にアシスタントによってバキュームチューブの吸気口が患者の近くにまで引き出されたとしても、施術者の手元付近に該吸気口が位置することになるため、施術者が施術行為を中断せざるを得ない事態が生じ得る。一方、施術者による施術行為が妨げられ難い位置にバキュームチューブの吸気口が引き出される場合には、患者の口腔近傍の汚染空気を十分に吸気、排出することができず、汚染空気が治療空間に拡散、滞留し易くなってしまう。
【０００７】
また、患者の口腔近傍の汚染空気を拡散させることなく吸気、排出するために、患者の顔面をシールドによって覆って該シールド内の空気を吸気、排出することも考えられるが、施術者の手元付近にシールドが位置することになるため、やはり、施術者による施術行為が妨げられてしまう虞がある。また、無影灯の光がシールドによって反射してしまうことによって、施術者の視界が妨げられてしまう虞や、施術者の眼精疲労を誘発する虞がある。
【０００８】
本発明の目的は、歯科治療の施術を妨げることなく、歯科治療における患者の口腔からの飛沫や該飛沫を含んだエアロゾルが、治療空間に拡散、滞留してしまう事態を可及的に抑制することにある。
【課題を解決するための手段】
【０００９】
本願開示の歯科治療ユニットは、患者が着座する歯科治療椅子であって、背もたれ部の上部にヘッドレストが設けられた歯科治療椅子と、光源ランプの後方に反射ミラーを有し、該光源ランプからの光を該反射ミラーによって反射して前方に投射し、前記歯科治療椅子に着座した患者の口腔に光束を照射する無影灯と、前記歯科治療椅子に着座し歯科治療を受けている患者の頭部を囲むように前記ヘッドレストに配置されたエアチューブであって、該エアチューブ内を流通する空気を該エアチューブの外へ吹き出す吹出口を複数有し、該吹出口から吹き出す空気によって該患者の後頭部の側から顔面の側へ向かう気流が形成されるように構成されたエアチューブと、前記エアチューブの前記吹出口から吹き出す空気を含んだ所定の流体を吸引する吸引装置であって、その吸引口が前記無影灯に配置された吸引装置と、を備える。
【発明の効果】
【００１０】
本願開示によれば、歯科治療の施術を妨げることなく、歯科治療における患者の口腔からの飛沫や該飛沫を含んだエアロゾルが、治療空間に拡散、滞留してしまう事態を可及的に抑制することができる。
【図面の簡単な説明】
【００１１】
【図１】第１の実施形態に係る歯科治療ユニットを説明するための図である。
【図２】無影灯への吸引口の配置を説明するための図である。
【図３】バキュームホースに対する吸引口の着脱を説明するための第１の図である。
【図４】バキュームホースに対する吸引口の着脱を説明するための第２の図である。
【図５】ヘッドレストへのエアチューブの配置について説明するための第１の図である。
【図６】ヘッドレストへのエアチューブの配置について説明するための第２の図である。
【図７】吸引装置の吸引口によって、エアチューブの吹出口から吹き出す空気を含んだ所定の流体が吸引される例を説明するための第１の図である。
【図８】吸引装置の吸引口によって、エアチューブの吹出口から吹き出す空気を含んだ所定の流体が吸引される例を説明するための第２の図である。
【図９】第２の実施形態における制御装置が、エアチューブへの空気の供給および吸引装置の作動を制御するために行う処理についてのフローチャートである。
【図１０】第２の実施形態の変形例における制御装置が、エアチューブへの空気の供給および吸引装置の作動を制御するために行う処理についてのフローチャートである。
【発明を実施するための形態】
【００１２】
本願開示において、歯科治療ユニットは、歯科治療椅子と、無影灯と、歯科治療椅子のヘッドレストに配置されたエアチューブと、その吸引口が無影灯に配置され所定の流体を吸引する吸引装置と、を備える。このような構成によれば、歯科治療椅子に着座した患者の口腔が無影灯からの光束によって照射される。また、歯科治療椅子のヘッドレストには、歯科治療椅子に着座し歯科治療を受けている患者の頭部を囲むようにエアチューブが配置される。ここで、エアチューブには、公知の可撓性チューブを用いることができ、患者の頭部の大きさに応じて、該患者の頭部を囲むエアチューブの形態を調整することができる。このようなエアチューブは、ヘッドレストの上側面と左右側面に沿うように配置されてもよい。この場合、患者の頭部の上方と側方がエアチューブに囲まれることになる。また、エアチューブは、上記の如く配置された形態から分岐したチューブが患者の顎下を通るように配置されてもよい。この場合、患者の頭部の上方と側方と下方がエアチューブに囲まれることになる。そして、エアチューブには、コンプレッサー等からの空気が供給され、該エアチューブ内を流通する空気を該エアチューブの外へ吹き出す吹出口が複数形成される。更に、エアチューブは、吹出口から吹き出す空気によって患者の後頭部の側から顔面の側へ向かう気流が形成されるように構成される。そうすると、歯科治療椅子に着座し歯科治療を受けている患者の頭部を囲むようにエアカーテンが形成されることになり、歯科治療における患者の口腔からの飛沫や該飛沫を含んだエアロゾルを、該エアカーテンの内側（患者の頭部が存在する側）の留め易くなる。また、このようなエアカーテンによれば、施術者の手元付近に施術行為を妨げる物体が位置することがない。そのため、施術者は、歯科治療の施術を円滑に進めることができる。
【００１３】
そして、本願開示の歯科治療ユニットでは、エアチューブの吹出口から吹き出す空気を含んだ所定の流体が、吸引装置の吸引口から吸引される。ここで、所定の流体とは、エアチューブの吹出口から吹き出す空気と、歯科治療における患者の口腔からの飛沫や該飛沫を含んだエアロゾルと、を含んだ流体である。上述したように、吸引装置の吸引口が無影灯に配置されるため、該吸引口によって施術者による施術行為が妨げられることはない。また、エアチューブの吹出口からの空気とともに上記のエアロゾル等が吸引されることと、患者の口腔を照らすために無影灯（該無影灯には、吸引口が配置される）が該患者の略正面に配置されることと、によって、歯科治療における患者の口腔からの飛沫や該飛沫を含んだエアロゾルを好適に吸引することができる。したがって、上記のエアロゾル等が、治療空間に拡散、滞留してしまう事態が可及的に抑制される。
【００１４】
以上に述べたように、本願開示の歯科治療ユニットによれば、歯科治療の施術を妨げることなく、歯科治療における患者の口腔からの飛沫や該飛沫を含んだエアロゾルが、治療空間に拡散、滞留してしまう事態を可及的に抑制することができる。
【００１５】
以下、図面に基づいて、本願開示の実施の形態を説明する。以下の実施形態の構成は例示であり、本願開示は実施形態の構成に限定されない。
【００１６】
＜第１の実施形態＞
第１の実施形態に係る歯科治療ユニットについて、図１を参照しながら説明する。図１は、本実施形態に係る歯科治療ユニットを説明するための図である。本実施形態に係る歯科治療ユニット１は、歯科治療を受ける患者が着座する歯科治療椅子１０と、歯科治療椅子１０に着座した患者の口腔に光束を照射する無影灯２０と、インスツルメントホルダー３０に収納されたインスツルメント３１と、スピットン４０と、その内部に、スピットン４０に排泄される排泄物等を吸引するバキューム装置や、インスツルメント３１に圧縮エア等を供給するコンプレッサーを有する台座部５０と、歯科治療椅子１０に着座し歯科治療を受けている患者の頭部を囲むように配置されたエアチューブ６０と、その吸引口７１が無影灯２０に配置された吸引装置７０と、を備える。
【００１７】
歯科治療椅子１０は、着座部１１と、背もたれ部１２と、ヘッドレスト１３と、を有する公知の歯科治療椅子である。患者は、歯科治療椅子１０の着座部１１に着座し、背もたれ部１２およびヘッドレスト１３に上半身を固定して歯科治療を受けることになる。このような患者に対して、施術者は、インスツルメントホルダー３０よりインスツルメント３１を引き出して歯科治療を施術する。ここで、インスツルメント３１は、インスツルメントホース３２で台座部５０に内蔵されたコンプレッサーに接続されていて、コンプレッサーからの圧縮エア等がインスツルメントホース３２を介してインスツルメント３１に供給される。そして、インスツルメント３１への圧縮エア等の供給は、施術者によるフットペダルの操作によって制御され、施術者は、例えば、フットペダルの操作によりエアタービンの回転数を調整することができる。なお、患者の口腔内には、歯科治療に起因する粉塵が拡散し易くなるため、患者は所定の頻度でうがいを行い、その排泄物等をスピットン４０に排泄することができる。
【００１８】
また、歯科治療を受ける患者の口腔は、無影灯２０によって照射される。ここで、無影灯２０は、光源ランプの後方に反射ミラーを有し、該光源ランプからの光を該反射ミラーによって反射して前方に投射し、歯科治療椅子１０に着座した患者の口腔に光束を照射するものである。なお、光源ランプとして、ＬＥＤ等の公知の構成を用いることができる。そして、無影灯２０は、接続されたアーム２１が直線運動や回転運動することによって、その配置を移動可能に構成されており、施術者は、治療行為に応じて無影灯２０による照射範囲を調整することができる。
【００１９】
そして、無影灯２０には、吸引装置７０の吸引口７１が配置される。ここで、吸引装置７０は、歯科治療における患者の口腔からの飛沫や該飛沫を含んだエアロゾルを吸引するための装置であって、吸引口７１と、公知の口腔外バキューム７３と、これらを繋ぐバキュームホース７２と、を有して構成される。なお、口腔外バキューム７３に代えて乾湿両用掃除機を用いてもよい。また、バキュームホース７２は、無影灯２０を支持するアーム２１に結束バンド等によって固定され、アーム２１と一体で直線運動や回転運動することになる。そのため、本実施形態では、バキュームホース７２が蛇腹状に形成され、バキュームホース７２の滑らかな運動が実現される。
【００２０】
ここで、図２は、無影灯２０への吸引口７１の配置を説明するための図である。図２（ａ）は、吸引口７１が配置された無影灯２０の斜視図を表し、図２（ｂ）は、図２（ａ）における矢ｂから見た図を表す。図２によれば、無影灯２０の側面を囲むように吸引口７１が配置されることがわかる。ここで、本実施形態の吸引口７１は上下に分割されていて、無影灯２０の側面が、上下方向から吸引口７１に覆われることになる。そして、このように吸引口７１が上下に分割されている場合は、これらに接続されるバキュームホース７２が、各吸引口７１に対応して設けられる。なお、吸引口７１が無影灯２０の側面を囲むように配置される構成に限定する意図はなく、吸引口７１が無影灯２０に配置され、該吸引口７１からエアロゾル等を吸引できるものであれば、その態様は問わない。また、上述したように、無影灯２０は、その配置を移動可能に構成されているため、無影灯２０に配置された吸引口７１も、無影灯２０とともにその配置が移動される。したがって、施術者は、例えば、無影灯２０を患者の近くまで引き寄せることで、患者の周囲に存在するエアロゾル等を吸引することができる。なお、バキュームホース７２には、ウイルス等を死滅させるための公知の殺菌、消毒装置が備えられてもよい。
【００２１】
そして、図３は、バキュームホース７２に対する吸引口７１の着脱を説明するための第１の図である。図３に示すように、吸引口７１は、バキュームホース７２に対して着脱可能に構成されている。詳しくは、バキュームホース７２における無影灯２０側の端部には、アダプタ７４が設けられており、吸引口７１におけるバキュームホース７２側の端部が該アダプタ７４に挿入されることで、吸引口７１がバキュームホース７２に対して着脱可能に構成される。このような構成によれば、患者毎に吸引口７１を交換することが可能になり、治療空間を清潔に保つことができる。なお、このように交換可能にされる吸引口７１は、アルコール等で消毒されることで、再度利用可能となる。
【００２２】
また、図４は、バキュームホース７２に対する吸引口７１の着脱を説明するための第２の図である。上記の図３に示した吸引装置７０は、上下に分割された吸引口７１夫々に対して、バキュームホース７２およびアダプタ７４が設けられるが、本実施形態に係る吸引装置７０は、図４（ａ）に示すように、上下に分割された吸引口７１のいずれかに対応する位置に、バキュームホース７２およびアダプタ７４が設けられてもよい。また、本実施形態に係る吸引装置７０は、図４（ｂ）に示すように、吸引口７１が上下に一体に形成されてもよい。この場合、一体に形成された吸引口７１が、無影灯２０の前方から取り付けられることになる。
【００２３】
ヘッドレスト１３には、エアチューブ６０が配置される。上述したように、エアチューブ６０は、歯科治療椅子１０に着座し歯科治療を受けている患者の頭部を囲むように配置される。ここで、図５は、ヘッドレスト１３へのエアチューブ６０の配置について説明するための第１の図である。図５（ａ）は、エアチューブ６０が配置されたヘッドレスト１３の斜視図を表し、図５（ｂ）は、図５（ａ）における矢ｂから見た図を表し、図５（ｃ）は、図５（ａ）における矢ｃから見た図を表す。なお、矢ｂは、ヘッドレスト１３において患者の頭部が固定される面を指し、矢ｃは、その裏の面を指している。そして、図５によると、ヘッドレスト１３の側面を囲むようにエアチューブ６０が配置されていることがわかる。これにより、歯科治療椅子１０に着座し歯科治療を受けている患者の頭部を囲むように、エアチューブ６０が配置されることになる。なお、エアチューブ６０には、公知の可撓性チューブを用いることができる。これによれば、患者の頭部の大きさに応じて、該患者の頭部を囲むエアチューブ６０の形態を調整することが可能になる。
【００２４】
ここで、図５（ｂ）に示すように、図５（ａ）における矢ｂからヘッドレスト１３を見たときの、ヘッドレスト１３の側面を囲むように配置されたエアチューブ６０の表面には、複数の吹出口６１が形成されている。このように、エアチューブ６０に吹出口６１が形成されることによって、エアチューブ６０内を流通する空気が、吹出口６１からエアチューブ６０の外へ吹き出すことになる。そして、本実施形態では、ヘッドレスト１３の側面を囲むように構成された吹出口６１の列が、該ヘッドレスト１３に近い側と該ヘッドレスト１３から遠い側に２列形成されており、ヘッドレスト１３の周囲において、各列の吹出口６１が互い違いに設けられている。また、このような複数の吹出口６１が形成されたエアチューブ６０は、支持部材６２および固定部材６３によって、ヘッドレスト１３に固定され得る。図５（ｃ）に示すように、ヘッドレスト１３の裏面に固定部材６３が固定され、該固定部材６３に繋がる複数の支持部材６２によって、エアチューブ６０が支持される。ここで、支持部材６２としては、公知の紐状弾性体やテープ状弾性体を用いることができる。また、固定部材６３としては、公知の面ファスナー等を用いることができる。なお、ヘッドレスト１３へのエアチューブ６０の固定をこれに限定する意図はなく、エアチューブ６０をヘッドレスト１３に固定できる構成であれば、その種類は問わない。
【００２５】
また、図６は、ヘッドレスト１３へのエアチューブ６０の配置について説明するための第２の図である。図６に示すように、２本のエアチューブ６０が、ヘッドレスト１３の側面を囲むように配置されてもよい。これによれば、後述する、エアチューブ６０の吹出口６１から吹き出す空気による患者の後頭部の側から顔面の側へ向かう気流を、より好適に形成することができる。
【００２６】
ここで、本発明者は、鋭意検討を行った結果、エアチューブ６０の吹出口６１から吹き出す空気によって、患者の後頭部の側から顔面の側へ向かう気流を形成し、該エアチューブ６０の該吹出口６１から吹き出す空気を含んだ所定の流体を吸引装置７０の吸引口７１から吸引することで、歯科治療の施術を妨げることなく、歯科治療における患者の口腔からの飛沫や該飛沫を含んだエアロゾルを好適に吸引できることを見出した。これについて、図７を参照しながら説明する。
【００２７】
図７は、吸引装置７０の吸引口７１によって、エアチューブ６０の吹出口６１から吹き出す空気を含んだ所定の流体が吸引される例を説明するための第１の図である。図７によると、エアチューブ６０の吹出口６１から吹き出す空気によって、患者の後頭部の側から顔面の側へ向かう気流が形成されていることがわかる。そうすると、歯科治療椅子１０に着座し歯科治療を受けている患者の頭部を囲むようにエアカーテンが形成されることになる。そして、このようにエアカーテンが形成されると、歯科治療における患者の口腔からの飛沫や該飛沫を含んだエアロゾルは、該エアカーテンの内側、つまり、患者の頭部が存在する側に留まり易くなる。言い換えれば、患者の口腔からの飛沫や該飛沫を含んだエアロゾルが、上記のエアカーテンの外側に拡散し難くなる。更に、このようなエアカーテンによれば、施術者の手元付近に施術行為を妨げる物体が位置することがない。そのため、施術者は、歯科治療の施術を円滑に進めることができる。なお、施術者の顔面が、エアチューブ６０の吹出口６１から吹き出す空気に曝されることを抑制するために、施術者は、公知のフェイスガードを用いて自身の顔面を覆ってもよい。また、エアチューブ６０への空気の供給には、インスツルメント３１に圧縮エアを供給するコンプレッサーを用いてもよいし、専用のコンプレッサーを用いてもよい。
【００２８】
そして、エアチューブ６０の吹出口６１から吹き出す空気によって形成されたエアカーテンは、吸引装置７０の吸引口７１から吸引される。ここで、上述したように、エアカーテンの内側には、患者の口腔からの飛沫や該飛沫を含んだエアロゾルが滞留し易くなっている。そのため、エアチューブ６０の吹出口６１から吹き出す空気と、上記のエアロゾル等と、を含んだ流体が、吸引口７１から吸引されることになる。これによれば、歯科治療における患者の口腔からの飛沫や該飛沫を含んだエアロゾルを好適に吸引することができ、以て、該エアロゾル等が、治療空間に拡散、滞留してしまう事態が可及的に抑制される。
【００２９】
なお、エアチューブ６０は、上記の図７に示した形態から分岐したチューブが患者の顎下を通るように配置されてもよい。ここで、図８は、吸引装置７０の吸引口７１によって、エアチューブ６０の吹出口６１から吹き出す空気を含んだ所定の流体が吸引される例を説明するための第２の図である。図８によると、患者の頭部の上方と側方と下方がエアチューブ６０によって囲まれていることがわかる。これによれば、患者の頭部の下方にもエアカーテンが形成されることになる。そのため、患者の口腔からの飛沫や該飛沫を含んだエアロゾルが上記のエアカーテンの外側に拡散してしまう事態をより好適に抑制できるとともに、該エアロゾル等をより好適に吸引することができる。
【００３０】
以上に述べたように、本願開示の歯科治療ユニットによれば、歯科治療の施術を妨げることなく、歯科治療における患者の口腔からの飛沫や該飛沫を含んだエアロゾルが、治療空間に拡散、滞留してしまう事態を可及的に抑制することができる。
【００３１】
＜第２の実施形態＞
第２の実施形態について、図９に基づいて説明する。本実施形態に係る歯科治療ユニット１は、上述した第１の実施形態の構成に加えて制御装置を備える。制御装置は、インスツルメント３１の作動状態に基づいて、エアチューブ６０への空気の供給および吸引装置７０の作動を制御する装置であって、ＣＰＵ、ＲＡＭ、ＲＯＭ等から構成される電子制御ユニットを有する。ＣＰＵは、演算処理装置であって、後述する図９に示す各処理を実行する。ＲＡＭは、ＣＰＵによって実行されるプログラムや、当該制御プログラムが利用するデータが展開されるメモリである。ＲＯＭは、ＣＰＵにおいて実行されるプログラムや、当該制御プログラムが利用するデータが記憶される装置である。なお、本実施形態では、エアチューブ６０への空気の供給に専用のコンプレッサーを用いることができる。また、インスツルメント３１を用いた歯科治療において生じた、患者の口腔からの飛沫や該飛沫を含んだエアロゾルを吸引するため、制御装置は、少なくともインスツルメント３１が作動しているときには、エアチューブ６０へ空気を供給する専用のコンプレッサーを作動させるとともに、該空気を含んだ所定の流体を吸引するための口腔外バキューム７３を作動させる。
【００３２】
そして、図９は、本実施形態における制御装置が、エアチューブ６０への空気の供給および吸引装置７０の作動を制御するために行う処理についてのフローチャートである。先ず、Ｓ１０１では、インスツルメント３１の作動状態が取得される。制御装置は、例えば、施術者によるフットペダルの操作を検出するセンサからの検出信号を取得することで、インスツルメント３１の作動状態を取得することができる。また、制御装置は、例えば、インスツルメント３１に圧縮エア等を供給するコンプレッサーに設けられ、該コンプレッサーの作動状態を検出するセンサからの検出信号を取得することで、インスツルメント３１の作動状態を取得してもよい。そして、Ｓ１０１の処理が終了すると、Ｓ１０２へ進む。
【００３３】
Ｓ１０２では、Ｓ１０１の処理で取得したインスツルメント３１の作動状態に基づいて、インスツルメント３１の作動が終了したか否かが判別される。そして、Ｓ１０２で肯定判定されると処理はＳ１０３へ進み、Ｓ１０２で否定判定されると処理はＳ１０１へ戻る。
【００３４】
Ｓ１０２で肯定判定された場合、次に、Ｓ１０３では、インスツルメント３１の作動が終了した後の経過時間が取得される。そして、Ｓ１０４では、Ｓ１０３の処理で取得した経過時間に基づいて、インスツルメント３１の作動が終了してから所定時間が経過したか否かが判別される。ここで、上記の所定時間は、インスツルメント３１を用いた歯科治療における、患者の口腔からの飛沫や該飛沫を含んだエアロゾルを、吸引装置７０の吸引口７１から吸引するために要する時間に基づいて、予め定められる。そして、Ｓ１０４で肯定判定されると処理はＳ１０５へ進み、Ｓ１０４で否定判定されると処理はＳ１０３へ戻る。
【００３５】
Ｓ１０４で肯定判定された場合、次に、Ｓ１０５では、エアチューブ６０への空気の供給および吸引装置７０の作動が終了される。制御装置は、エアチューブ６０へ空気を供給する専用のコンプレッサーを停止させることによって、エアチューブ６０への空気の供給を終了させることができる。また、制御装置は、口腔外バキューム７３を停止させることによって、吸引装置７０の作動を終了させることができる。
【００３６】
以上に述べた処理によれば、インスツルメント３１を用いた歯科治療において生じた上記のエアロゾル等を吸引するための時間が、確保されることになる。したがって、インスツルメント３１の作動の終了とともにエアチューブ６０への空気の供給および吸引装置７０の作動が終了される場合と比較して、上記のエアロゾル等が、治療空間に拡散、滞留してしまう事態が可及的に抑制される。
【００３７】
そして、以上に述べた歯科治療ユニットによっても、歯科治療の施術を妨げることなく、歯科治療における患者の口腔からの飛沫や該飛沫を含んだエアロゾルが、治療空間に拡散、滞留してしまう事態を可及的に抑制することができる。
【００３８】
＜第２の実施形態の変形例＞
第２の実施形態の変形例について、図１０に基づいて説明する。図１０は、本変形例における制御装置が、エアチューブ６０への空気の供給および吸引装置７０の作動を制御するために行う処理についてのフローチャートである。なお、図１０に示す各処理において、上記の図９に示した処理と実質的に同一の処理については、同一の符号を付してその詳細な説明を省略する。
【００３９】
本変形例では、Ｓ１０４の処理で肯定判定された場合、次に、Ｓ２０５において、エアチューブ６０への空気の供給が終了される。そして、Ｓ２０５の処理が実行された後、つまり、エアチューブ６０への空気の供給が終了された後に、Ｓ２０６において、吸引装置７０の作動が終了される。
【００４０】
このような処理によれば、エアチューブ６０の吹出口６１からの空気を、治療空間に拡散させることなく吸引装置７０の吸引口７１から吸引することができる。そうすると、エアチューブ６０の吹出口６１からの空気によって形成されるエアカーテンの内側に滞留する、患者の口腔からの飛沫や該飛沫を含んだエアロゾルも、周囲に拡散することなく吸引装置７０の吸引口７１から吸引されることになる。したがって、上記のエアロゾル等が、治療空間に拡散、滞留してしまう事態が可及的に抑制される。
【符号の説明】
【００４１】
１・・・・・歯科治療ユニット
１０・・・・歯科治療椅子
１３・・・・ヘッドレスト
２０・・・・無影灯
６０・・・・エアチューブ
６１・・・・吹出口
７０・・・・吸引装置
７１・・・・吸引口
【要約】      （修正有）【課題】歯科治療における患者の口腔からの飛沫や該飛沫を含んだエアロゾルが、治療空間に拡散、滞留してしまう事態を可及的に抑制する歯科治療ユニットを提供する。【解決手段】光源ランプの後方に反射ミラーを有し、該光源ランプからの光を該反射ミラーによって反射して前方に投射し、前記歯科治療椅子に着座した患者の口腔に光束を照射する無影灯２０と、前記歯科治療椅子に着座し歯科治療を受けている患者の頭部を囲むように前記ヘッドレストに配置されたエアチューブ６０であって、該エアチューブ内を流通する空気を該エアチューブの外へ吹き出す吹出口６１を複数有し、該吹出口から吹き出す空気によって該患者の後頭部の側から顔面の側へ向かう気流が形成されるように構成されたエアチューブと、前記エアチューブの前記吹出口から吹き出す空気を含んだ所定の流体を吸引する吸引装置であって、その吸引口７１が前記無影灯に配置された吸引装置。【選択図】図７【図１】
0006778452.tif 000002
【図２】
0006778452.tif 000003
【図３】
0006778452.tif 000004
【図４】
0006778452.tif 000005
【図５】
0006778452.tif 000006
【図６】
0006778452.tif 000007
【図７】
0006778452.tif 000008
【図８】
0006778452.tif 000009
【図９】
0006778452.tif 000010
【図１０】
0006778452.tif 000011